(57)【要約】  固定体の開口を開閉可能な開閉体または固定体のいずれか一方に形成される取付部に取り付けられる付勢装置１０は、ピン部材２０と、コイル状のバネ部材５０と、ピン部材２０が挿入される貫通孔を有し、バネ部材５０の一端を支持するバネ受け部材６０と、を備える。ピン部材２０は、外周側にてバネ部材５０が配置された軸部２２と、軸部２２の一端に連設され、開閉体の接触面に当接可能な頭部３４と、バネ部材５０の他端を支持するバネ支持部２４と、取付部の外面に係止して該付勢装置１０が取付部から外れることを規制するための係止爪と、を有する。
2013136390.tif 000002
【特許請求の範囲】
【請求項１】
固定体の開口を開閉可能な開閉体または前記固定体のいずれか一方に形成される取付部に取り付けられ、前記開閉体が前記固定体の開口を閉じた場合に前記開閉体を開き方向に付勢するための付勢装置であって、
ピン部材と、
コイル状のバネ部材と、
前記ピン部材が挿入される貫通孔を有し、前記バネ部材の一端を支持するバネ受け部材と、を備え、
前記ピン部材は、
外周側にて前記バネ部材が配置された軸部と、
前記軸部の一端に連設され、前記固定体または前記開閉体の接触面に当接可能な頭部と、
前記バネ部材の他端を支持するバネ支持部と、
前記取付部に係止して該付勢装置が前記取付部から外れることを規制するための係止部と、を有することを特徴とする付勢装置。
【請求項２】
前記取付部は、凹み形状に形成され、底部に係止孔を有し、
前記係止部は、前記係止孔の外側の孔縁に係止することを特徴とする請求項１に記載の付勢装置。
【請求項３】
該付勢装置が前記取付部に取り付けられる前の状態において前記係止部は、前記バネ受け部材が前記バネ部材の付勢によって前記ピン部材から外れることを規制することを特徴とする請求項１または２に記載の付勢装置。
【請求項４】
前記バネ受け部材は、側面に切欠部が形成され、
前記係止部は、前記取付部に取り付ける前の状態において、前記切欠部に係止することを特徴とする請求項３に記載の付勢装置。
【請求項５】
前記バネ受け部材は、筒状に形成された外周に径方向外向きに突出する突部を有し、
前記突部は、前記バネ部材の一端を支持することを特徴とする請求項１から４のいずれかに記載の付勢装置。
【請求項６】
前記頭部は、
ゴム材料または軟質樹脂材料で形成され、前記接触面に当接する当接部と、
前記当接部より径方向外向きに張り出す張出部と、を有することを特徴とする請求項１から５のいずれかに記載の付勢装置。
【請求項７】
前記頭部は、前記張出部の径方向内側に空隙部を有し、
前記張出部は、径方向に撓むことを特徴とする請求項６に記載の付勢装置。
【請求項８】
該付勢装置の組み立て前において、前記ピン部材および前記バネ受け部材は一体に結合された一次成形状態を有することを特徴とする請求項１から７のいずれかに記載の付勢装置。
【請求項９】
前記係止部は、前記ピン部材の前記頭部と逆側の一端に複数の弾性爪体として形成され、
一次成形状態において、前記複数の弾性爪体の変形を規制するように前記バネ受け部材が前記弾性爪体の先端に結合されていることを特徴とする請求項８に記載の付勢装置。
【請求項１０】
前記ピン部材と前記バネ受け部材は、一次成形状態において前記バネ部材が挿入可能となるように同軸に結合されることを特徴とする請求項８または９に記載の付勢装置。
【請求項１１】
前記バネ受け部材の外周に形成された突部は径方向に撓むことを特徴とする請求項１０に記載の付勢装置。
【請求項１２】
前記軸部は、軸方向に延伸する第１柱部と、前記第１柱部と所定の間隔をあけて設けられる第２柱部と、を有し、
前記係止部は、前記第１柱部および前記第２柱部の先端側の外周面のそれぞれに外向きに突出するよう設けられ、内向きに撓み可能であることを特徴とする請求項１から８のいずれかに記載の付勢装置。
【請求項１３】
前記軸部は、前記第１柱部および前記第２柱部の先端を連結する連結部を有することを特徴とする請求項１２に記載の付勢装置。
【請求項１４】
前記軸部は、前記第１柱部および前記第２柱部の間に配置され、一端が前記連結部に結合される第３柱部を有する請求項１３に記載の付勢装置。
【発明の詳細な説明】
【技術分野】
【０００１】
本発明は、開閉体が固定体の開口を閉じた場合に開閉体を開き方向に付勢するための付勢装置に関する。
【背景技術】
【０００２】
自動車には箱と蓋により構成されるグローブボックスが設けられる。グローブボックスの箱の縁には付勢装置が設けられており、この付勢装置は、グローブボックスの蓋を閉じる際に蓋に当接して弾性力により蓋と箱の衝突を和らげる。また、付勢装置は蓋を開くときに蓋を開き方向に付勢する。【０００３】
特許文献１に記載される可撓性緩衝部材は、コイルスプリングと、コイルスプリングの一端に当接する筒状の緩衝ヘッドと、コイルスプリングの他端を支持するロックディスクが固定される緩衝軸と、を備える。緩衝軸は、段差状の肩部と、グローブボックスの蓋に固定されるねじ軸を有する。緩衝ヘッドは、貫通孔と、貫通孔の内周に形成されたロック突起とを有し、貫通孔に緩衝軸を挿通してロック突起により緩衝軸の肩部を支持する。緩衝ヘッドは緩衝軸の肩部に制限された範囲でコイルスプリングに抗して軸方向に移動する。
【先行技術文献】
【特許文献】
【０００４】
【特許文献１】特開２００４−９２９１２号公報
【発明の概要】
【発明が解決しようとする課題】
【０００５】
特許文献１に記載の技術では、緩衝軸のねじ軸をグローブボックスの蓋のねじ孔に螺合することで取り付けるため、取り付け作業が煩瑣である。【０００６】
本発明はこのような課題に鑑みてなされたものであり、その目的は、取り付け作業を容易にできる付勢装置を提供することにある。
【課題を解決するための手段】
【０００７】
上記課題を解決するために、本発明のある態様の付勢装置は、固定体の開口を開閉可能な開閉体または固定体のいずれか一方に形成される取付部に取り付けられ、開閉体が固定体の開口を閉じた場合に開閉体を開き方向に付勢するための付勢装置であって、ピン部材と、コイル状のバネ部材と、ピン部材が挿入される貫通孔を有し、バネ部材の一端を支持するバネ受け部材と、を備える。ピン部材は、外周側にてバネ部材が配置された軸部と、軸部の一端に連設され、固定体または開閉体の接触面に当接可能な頭部と、バネ部材の他端を支持するバネ支持部と、取付部の内面または外面に係止して該付勢装置が取付部から外れることを規制するための係止部と、を有する。【０００８】
この態様によると、ピン部材の係止部を取付部に係止させることで付勢装置を容易に取り付けることができる。
【発明の効果】
【０００９】
本発明によれば、付勢装置の取り付け作業を容易にできる。
【図面の簡単な説明】
【００１０】
【図１】実施形態に係る付勢装置の側面図である。
【図２】付勢装置の構成を説明するための説明図である。
【図３】グローブボックスの取付部に取り付けた状態の付勢装置を説明するための説明図である。
【図４】第１変形例の付勢装置を説明するための説明図である。
【図５】第２変形例の付勢装置を説明するための説明図である。
【図６】グローブボックスの取付部に取り付けた状態の第２変形例の付勢装置を示す図である。
【図７】第３変形例の付勢装置について説明するための図である。
【図８】第３変形例の付勢装置のピン部材について説明するための図である。
【発明を実施するための形態】
【００１１】
図１は、実施形態に係る付勢装置１０の側面図である。車両のグローブボックスの箱のフランジ状の開口縁に取付部が凹み形状に形成され、その取付部に付勢装置１０が取り付けられる。付勢装置１０は、グローブボックスの蓋を閉じた場合に蓋の縁の接触面に当接して蓋を開き方向に付勢する。また、付勢装置１０は、グローブボックスの蓋を閉じる途中で、蓋の接触面に当接して衝突を抑える緩衝手段として機能する。グローブボックスの箱は、車体に固定される固定体であり、蓋は、箱の開口を開閉可能な開閉体である。付勢装置１０が取り付けられる取付部は、かごのように形成された取付凹部や、円筒孔状に形成された取付孔部を含む。
【００１２】
付勢装置１０は、コイル状のバネ部材５０と、バネ部材５０に挿入され、バネ部材５０の第１端部５２を支持するピン部材２０と、ピン部材２０に挿入され、バネ部材５０の第２端部５４を支持するバネ受け部材６０を含んで構成される。ピン部材２０とバネ受け部材６０はバネ部材５０によりそれぞれ逆方向に付勢される。付勢装置１０は、これらの部材により組み立てられて１ユニットになっている。付勢装置１０の各部材について図２を参照しつつ説明する。
【００１３】
図２（ａ）および（ｂ）は、付勢装置１０の構成を説明するための説明図である。図２（ａ）は、付勢装置１０の組み立て前の状態を示し、図２（ｂ）は、図２（ａ）の線分Ａ−Ａの一次成形品７０の断面を示す。ここで各図面に示される同一または同等の構成要素、部材には、同一の符号を付するものとし、適宜重複した説明は省略する。
【００１４】
図２（ａ）に示すように、組み立て前の状態において、ピン部材２０とバネ受け部材６０は一体に結合された一次成形品７０となっている。ピン部材２０とバネ受け部材６０を一体成形することで、それぞれを別々に成形する場合と比べて金型を一つにできるため、製造コストを抑えることができる。
【００１５】
バネ受け部材６０は筒状に形成され、貫通孔６６と、外周に径方向外向きに突出する突部６２と、を有する。突部６２は、バネ部材５０の第２端部５４を支持する。バネ受け部材６０の外周側でバネ部材５０を支持することで、軸部２２の小径部２２ａより大きなバネ径のバネ部材５０を径方向にがたつくことを抑えることができる。バネ受け部材６０の外径は、バネ部材５０の内径に応じた大きさであり、バネ部材５０の内径より少し小さい径に定められる。図２（ａ）に示すように突部６２の周りには隙間があり、突部６２は径方向に撓み可能である。バネ受け部材６０には、バネ受け部材６０の一端を軸方向に切り欠いた切欠部６４が形成される。
【００１６】
ピン部材２０は、棒状の軸部２２と、軸部２２の一端に連設される頭部３４と、軸部２２の他端に形成される複数の脚部３０とを有する。軸部２２は、バネ部材５０およびバネ受け部材６０の貫通孔６６に挿入される。すなわち、軸部２２の外周側にバネ部材５０が配置される。これにより、付勢装置１０の軸方向長さが増すことを抑え、付勢装置１０を小型化できる。
【００１７】
軸部２２は、小径部２２ａと、小径部２２ａより大径の大径部２２ｂを有する。小径部２２ａはバネ受け部材６０の内径より少しだけ小さい外径を有する。大径部２２ｂは、バネ部材５０の内径より少しだけ小さい外径を有し、バネ受け部材６０の外径と同じである。大径部２２ｂによりバネ部材５０の径方向のがたつきを抑えることができる。
【００１８】
頭部３４は、軸部２２の一端に連設され、グローブボックスの箱に形成される取付凹部の開口面から出て蓋の接触面に当接可能である。頭部３４は、バネ支持部２４、当接部２６、嵌合部２８および張出部３２を有する。頭部３４は軸部２２の大径部２２ｂより大きい外径を有する。
【００１９】
バネ支持部２４は、軸部２２に連設し、軸部２２の大径部２２ｂより大径の円板状に形成され、バネ部材５０の第１端部５２を支持する。当接部２６は、ゴム材料または熱可塑性エラストマーなどの軟質樹脂材料で形成されて弾性を有し、グローブボックスの蓋の接触面に当接可能である。当接部２６は、軸部２２から延在する嵌合部２８に嵌合される。軸部２２およびバネ支持部２４側は、プラスチック材料で形成される。
【００２０】
張出部３２は、当接部２６より径方向外向きに張り出す。これにより、ゴム状の当接部２６が取付凹部の内周に接触して、摩擦によりピン部材２０が移動しなくなることを抑えることができる。
【００２１】
脚部３０は、取付凹部へ係止可能な係止手段を有する弾性爪体である。脚部３０は、係止爪３０ａ、弾性部３０ｂおよび繋ぎ部３０ｃを有する。係止爪３０ａは弾性部３０ｂにより径方向に撓み可能に設けられ、係止爪３０ａは、図１に示す組み立て状態ではバネ受け部材６０の切欠部６４に係止する。すなわち、係止爪３０ａは、バネ受け部材６０がバネ部材５０の付勢によってピン部材２０から外れる方向のバネ受け部材６０の移動を規制する。また、係止爪３０ａは取付凹部の係止孔の縁にも係止可能である。弾性部３０ｂは、軸部２２の小径部２２ａと同径に形成される。
【００２２】
図２（ｂ）に示すように繋ぎ部３０ｃは、バネ受け部材６０の内周に結合される繋ぎ代である。一次成形品７０において、複数の脚部３０（弾性爪体）の変形を規制するようにバネ受け部材６０が脚部３０の先端に結合されている。これにより、一次成形品７０である間、脚部３０が可塑変形することを防ぐことができる。
【００２３】
付勢装置１０をユニット化する工程について説明する。まず、一次成形品７０にバネ部材５０を挿入する。挿入時にはバネ端を支持する突部６２が径方向内向きに撓み、挿入完了後、バネ部材５０の第２端部５４が突部６２の支持面６２ａと当接し、抜け留めがなされる。次に、一次成形品７０のピン部材２０がバネ受け部材６０の貫通孔６６へ挿入されるようにバネ受け部材６０を押し込み、結合を切る。脚部３０の繋ぎ部３０ｃは自由端であり、バリのように残ってよい。次にバネ受け部材６０を脚部３０にさらに挿入し、係止爪３０ａに切欠部６４を係止させる。次に、嵌合部２８に当接部２６を嵌合させる。このように付勢装置１０は各部材を同一方向で組み立てられるため、組み立てが容易である。また付勢装置１０をユニット化することで、付勢装置１０をグローブボックスに取り付けるまでの間、付勢装置１０の輸送管理が容易である。
【００２４】
切欠部６４は、バネ受け部材６０の側面に一端から凹むように形成される。取付凹部１４に取り付ける前のユニット化した状態において、係止爪３０ａがバネ受け部材６０の側面に形成された切欠部６４に係止することで、係止爪３０ａを単にバネ受け部材６０の開口端に係止させた場合と比べて、ばね長を長くできる。これにより、取り付け前のバネ部材５０への負荷を抑え、ばね力の疲労を抑えることができる。切欠部６４の軸方向の長さは、係止爪３０ａの軸方向の長さとほぼ同じである。係止爪３０ａを切欠部６４により形成された凹み空間に収めることで、輸送中に生じる衝突などによって係止爪３０ａが損傷することを抑えることができる。
【００２５】
一次成形品７０において、ピン部材２０とバネ受け部材６０は、バネ部材５０が挿入可能となるように同軸に結合される。これにより、付勢装置１０の組み立て作業を同軸で進行できるため、組み立て作業が容易である。なお、ピン部材２０とバネ受け部材６０を切って、ピン部材２０にバネ受け部材６０を挿入した後、バネ部材５０を取り付けることも可能である。バネ受け部材６０の突部６２は径方向に撓むため、バネ部材５０をバネ受け部材６０の外側に容易に挿入することができる。
【００２６】
図３は、グローブボックスの取付凹部１４に取り付けた状態の付勢装置１０を説明するための説明図である。取付凹部１４は、グローブボックスの箱１２のフランジ状の開口縁に付勢装置１０を収容可能に凹み形状に形成され、底部に外部に連通する係止孔１６が形成される。
【００２７】
付勢装置１０の取り付け作業について説明する。図２に示す付勢装置１０を円筒形の取付凹部１４に挿入して当接部２６を押して付勢装置１０を押し込むと、バネ受け部材６０は係止孔１６より大径であるため係止孔１６の縁に当たって止まる。一方、ピン部材２０はバネ受け部材６０の貫通孔内を移動し、ピン部材２０の係止爪３０ａが係止孔１６に接触すると脚部３０が縮径するように撓んで係止孔１６を通り、係止爪３０ａが係止孔１６内を通り越すと弾性により脚部３０は元の径に戻り、係止爪３０ａが係止孔１６の外面の孔縁に係止する。このように、作業者はユニット化された付勢装置１０の頭部３４を押し込むだけで付勢装置１０を取付凹部１４に容易に取り付けることができる。また、付勢装置１０を取付凹部１４に取り付ける際に付勢装置１０を挿入方向に押し込んだ場合、係止爪３０ａが係止孔１６からさらに外側へ突き抜けることができるため、係止孔１６の外側の孔縁に確実に係止することができる。
【００２８】
次に、取り付け後の付勢装置１０の作用について説明する。取付凹部１４に取り付けられた付勢装置１０の当接部２６がグローブボックスの蓋により押された場合、バネ受け部材６０は係止孔１６の縁に当接して移動せず、ピン部材２０がバネ部材５０に抗して軸方向に移動する。バネ部材５０の弾性力により蓋が箱１２に当たる衝撃を抑えることができる。係止孔１６の内径は弾性部３０ｂおよび軸部２２の小径部２２ａの外径より少しだけ大きいためピン部材２０が係止孔１６内を軸方向に移動し、係止爪３０ａが係止孔１６から離れる。
【００２９】
バネ受け部材６０によりバネ部材５０が取付凹部１４の底部と離れているため、バネ端が係止孔１６に噛み込むことを防ぐことができる。グローブボックスの蓋をロックして閉じた場合、付勢装置１０は蓋を開く方向に付勢している。蓋のロックを解除した場合、付勢装置１０の付勢力により蓋を容易に開くことが可能である。
【００３０】
蓋のロックを解除して当接部２６の押し込みが解放されると、バネ部材５０の付勢力をバネ支持部２４で受け、ピン部材２０は取付凹部１４の開口面から出る方向に移動する。このとき図３に示すように係止爪３０ａは、係止孔１６の外面の縁に係止して付勢装置１０が取付凹部１４から外れることを規制する。このように付勢装置１０は、グローブボックスの蓋に対して緩衝および付勢をすることができる。
【００３１】
図４（ａ）および（ｂ）は、第１変形例の付勢装置１００を説明するための図である。図４（ａ）は取付凹部１４に取り付けた状態の付勢装置１００の斜視図であり、図４（ｂ）は付勢装置１００の正面図である。なお図４（ａ）および（ｂ）では当接部２６を除いて示している。
【００３２】
第１変形例の付勢装置１００は、図３に示す付勢装置１０と頭部１３４の構成が異なる。付勢装置１００は、当接部２６より径方向外側に張り出す張出部１３２が、突状に複数形成されている。張出部１３２の径方向内側には空隙部３８が形成される。空隙部３８は、円板状の頭部１３４の一部を切り欠いて形成される。空隙部３８により張出部１３２は径方向に撓み可能である。
【００３３】
張出部１３２の頂点を周方向に結んだ外接円の径は、取付凹部１４の内径と同じ、または取付凹部１４の内径より大きい。一方、張出部１３２が形成されていない頭部１３４の円板部分の外径は取付凹部１４の内径より大きい。張出部１３２は取付凹部１４に収容された状態で、取付凹部１４の内面に接触する。これにより、当接部２６の取付凹部１４の内面への接触を抑えつつ、付勢装置１０の径方向のがたつきを抑えることができる。
【００３４】
図５（ａ）および（ｂ）は、第２変形例の付勢装置２００を説明するための説明図である。図５（ａ）は、付勢装置２００の側面図を示し、図５（ｂ）は、ピン部材２２０およびバネ受け部材２６０からなる一次成形品２７０の斜視図を示す。また、図６は、取付凹部１４に取り付けた状態の第２変形例の付勢装置２００を示す図である。
【００３５】
バネ受け部材２６０は、環状に形成され、ピン部材２２０が挿入される貫通孔を有する。バネ受け部材２６０は、バネ部材５０の第２端部５４を支持する。このようにバネ受け部材２６０はシンプルな形状である。
【００３６】
ピン部材２２０は、軸部２２と、軸部２２の一端に連設される頭部２３４と、軸部２２の他端に連結される複数の脚部３０とを有する。頭部２３４は、バネ支持部２４と、当接部２６と、ガイド部２４０と、張出部２４２とを有する。
【００３７】
ガイド部２４０は、バネ支持部２４の外周から軸方向に延出し、バネ部材５０の一部を囲うように形成される。ガイド部２４０の外周には当接部２６より径方向外側に張り出す張出部２４２が形成される。
【００３８】
脚部３０は、係止爪３０ａ、弾性部３０ｂ、繋ぎ部３０ｃを有する。図５（ａ）に示すようにユニット化した付勢装置１０では、係止爪３０ａは、バネ受け部材２６０がバネ部材５０の付勢によってピン部材２２０から外れることを規制する。また、図６に示すように、取付凹部１４に取り付けた場合、係止爪３０ａは係止孔１６の縁に係止して付勢装置２００が取付凹部１４から外れることを規制する。
【００３９】
図５（ｂ）に示すように、脚部３０の繋ぎ部３０ｃは、バネ受け部材２６０の結合部２６０ａと結合し、一次成形品２７０をなす。結合部２６０ａは貫通孔の内周から径方向内向きに張り出す。これにより、ピン部材２２０およびバネ受け部材２６０の製造コストを抑えることができ、一次成形状態における脚部３０の変形を抑えることができる。
【００４０】
付勢装置２００においても図１に示す付勢装置１０と同様に付勢装置２００を取付凹部１４に押し込むことで、容易に取り付けることが可能である。
【００４１】
図７（ａ）〜（ｃ）は、第３変形例の付勢装置３００について説明するための図である。図７（ａ）は、組み立て前の付勢装置３００を示し、図７（ｂ）は、組み立てた状態の付勢装置３００を示し、図７（ｃ）は、取付凹部１４に取り付けた状態の付勢装置３００を示す。また、図８（ａ）〜（ｃ）は、第３変形例の付勢装置３００のピン部材３２０について説明するための図である。図８（ａ）および（ｂ）は、ピン部材３２０およびバネ受け部材６０の一次成形品をそれぞれ異なる方向から見た側面図であり、図８（ｃ）は、図８（ａ）に示すピン部材３２０の線分Ｂ−Ｂの断面図である。図８（ｂ）は、図８（ａ）に示す一次成形品を軸中心に９０度回転させた状態を示す。
【００４２】
第３変形例の付勢装置３００は、図１に示す付勢装置１０と、バネ部材５０およびバネ受け部材６０の構成は同じであるが、ピン部材３２０の構成が異なる。このピン部材３２０について図８を参照しつつ説明する。
【００４３】
図８（ａ）および（ｂ）には、図２（ａ）と同様に、ピン部材３２０およびバネ受け部材６０が一体に形成された一次成形品を示し、組み立て時にはピン部材３２０およびバネ受け部材６０が分離される。ピン部材３２０は、軸部３２２と、頭部３３４を有する。頭部３３４は、取付凹部の開口面から出て蓋の接触面に当接可能である当接部３２６と、当接部３２６より径方向外向きに張り出す張出部３３２と、を有する。
【００４４】
図８（ｂ）に示すように軸部３２２は、軸方向に延伸する第１柱部３２２ａおよび第２柱部３２２ｂと、第１柱部３２２ａおよび第２柱部３２２ｂの間に配置された第３柱部３２２ｃとを有する。第２柱部３２２ｂは、第１柱部３２２ａと所定の間隔をあけて対向して設けられる。
【００４５】
第１柱部３２２ａ、第２柱部３２２ｂおよび第３柱部３２２ｃは、軸部３２２の根元部３２２ｄから互いに平行して延出し、それらの先端は連結部３３６により連結される。第１柱部３２２ａおよび第２柱部３２２ｂは、可撓性を有し、軸中心へ内向きに撓むことができる。なお第１柱部３２２ａ、第２柱部３２２ｂおよび第３柱部３２２ｃは、頭部３３４の裏側から直接延出してもよい。係止爪３３０は、第１柱部３２２ａおよび第２柱部３２２ｂの先端側に設けられる。第１柱部３２２ａおよび第２柱部３２２ｂの可撓性によりバネ受け部材６０の組み付けおよび取付凹部１４への取り付けを容易にできる。
【００４６】
図８（ｃ）に示すように、軸部３２２の断面は円形状に形成される。筒状のバネ受け部材６０が軸部３２２の外周側を摺動するため、バネ受け部材６０の内周面の形状に応じて軸部３２２の断面が形成されている。第１柱部３２２ａおよび第２柱部３２２ｂの断面は円弧状に形成され、その円弧部分に係止爪３３０が外向きに突出するよう設けられる。
【００４７】
第３柱部３２２ｃは、平板状に形成される。第３柱部３２２ｃを設けることで、軸部３２２の剛性を高め、バネ受け部材６０が軸部３２２の外側を軸方向に相対移動する場合に、軸部３２２が大きく曲がることを抑えることができる。
【００４８】
図７（ｂ）に示すユニット化した付勢装置３００において、バネ部材５０の第１端部５２がバネ支持部３２４に支持され、第２端部５４が突部６２に支持される。図８（ｃ）に示すように、第３柱部３２２ｃの横幅Ｗ２は、第１柱部３２２ａおよび第２柱部３２２ｂの横幅Ｗ１より大きく、突部６２の内向きの撓みを制限する。突部６２の高さより、第３柱部３２２ｃの横幅とバネ受け部材６０の内径の差が小さいため、突部６２が内向きに撓んで第２端部５４が外れることを抑えることができる。また、第３柱部３２２ｃは、バネ受け部材６０が相対移動する際のガイドとしても機能する。
【００４９】
図７（ｃ）に示すように、筒状の取付凹部１４の底部に形成された係止孔１６に係止爪３３０が係止して付勢装置３００が取り付けられる。第１柱部３２２ａおよび第２柱部３２２ｂが連結部３３６に連結されているため、係止爪３３０が撓む際の支点が図２に示すピン部材２０の脚部３０と異なる。また第１柱部３２２ａおよび第２柱部３２２ｂが連結部３３６に連結されているため、先端側を摘んだ場合に係止爪３３０の内向きへの移動が抑制され、取付凹部１４から付勢装置３００が外れる可能性を低減できる。軸部３２２の中央部分を挟み込んだ場合には係止爪３３０が外れる可能性があるが、図７（ｃ）に示すように軸部３２２の中央部分は取付凹部１４に収容されており、その可能性は非常に低い。
【００５０】
図２に示すピン部材２０の一対の脚部３０の隙間と、図７（ａ）に示すピン部材３２０の第１柱部３２２ａおよび第２柱部３２２ｂの隙間とを比較して、その軸方向の長さはピン部材３２０の隙間の方が長い。第３変形例の付勢装置３００では、軸部３２２を撓みやすくして、連結部３３６の制限により取り付けにくくなることを抑えることができる。たとえば第１柱部３２２ａおよび第２柱部３２２ｂの隙間の軸方向の長さは、係止爪３３０の軸方向長さの３倍以上であってよい。これにより係止爪３３０を十分に撓みやすくできる。
【００５１】
本発明は上述の実施例に限定されるものではなく、当業者の知識に基づいて各種の設計変更等の変形を実施例に対して加えることも可能であり、そのような変形が加えられた実施例も本発明の範囲に含まれうる。
【００５２】
実施形態において、グローブボックスの箱に付勢装置１０を取り付ける態様を説明したが、これに限られにない。たとえば、蓋に付勢装置１０を取り付けて、蓋を閉じた場合に箱の縁に当接して、付勢するように構成してもよい。
【００５３】
また、図２では当接部２６が軸部２２側と別体でゴム材料で形成される構成を説明したが、この態様に限られない。たとえば当接部２６は軸部２２と一体にプラスチック材料で形成されてよい。また当接部２６は、軸部２２と別体でプラスチック材料で形成されてよい。
【００５４】
図６では、付勢装置２００が取付凹部１４から外れることを規制する係止部を脚部３０の端部に設ける構成を説明したが、その態様に限られない。たとえば図６に示すガイド部２４０の外周に径方向に突出する係止爪を設けてよい。取付凹部１４の内面に係止爪が軸方向に移動可能な溝が形成される。係止爪は溝に制限された範囲を移動し、取付凹部１４の溝に係止して付勢装置が取付凹部１４から外れることを規制する。
【符号の説明】
【００５５】
１０  付勢装置、  １２  箱、  １４  取付凹部、  １６  係止孔、  ２０  ピン部材、  ２２  軸部、  ２４  バネ支持部、  ２６  当接部、  ２８  嵌合部、  ３０  脚部、  ３０ａ  係止爪、  ３０ｂ  弾性部、  ３０ｃ  繋ぎ部、  ３２  張出部、  ３４  頭部、  ３８  空隙部、  ５０  バネ部材、  ５２  第１端部、  ５４  第２端部、  ６０  バネ受け部材、  ６２  突部、  ６４  切欠部、  ６６  貫通孔、  ７０  一次成形品、  １００  付勢装置、  １３２  張出部、  ２００  付勢装置、  ２２０  ピン部材、  ２４０  ガイド部、  ２４２  張出部、  ２６０  バネ受け部材、  ２７０  一次成形品、  ３００  付勢装置、  ３２０  ピン部材、  ３２２  軸部、  ３２２ａ  第１柱部、  ３２２ｂ  第２柱部、  ３２２ｃ  第３柱部、  ３２２ｄ  根元部、  ３２４  バネ支持部、  ３２６  当接部、  ３３０  係止爪、  ３３２  張出部、  ３３４  頭部、  ３３６  連結部。
【産業上の利用可能性】
【００５６】
本発明は、開閉体が固定体の開口を閉じた場合に開閉体を開き方向に付勢するための付勢装置に関する。
【図１】
2013136390.tif 000003
【図２】
2013136390.tif 000004
【図３】
2013136390.tif 000005
【図４】
2013136390.tif 000006
【図５】
2013136390.tif 000007
【図６】
2013136390.tif 000008
【図７】
2013136390.tif 000009
【図８】
2013136390.tif 000010
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
固定体の開口を開閉可能な開閉体または前記固定体のいずれか一方に形成される取付部に取り付けられ、前記開閉体が前記固定体の開口を閉じた場合に前記開閉体を開き方向に付勢するための付勢装置であって、
ピン部材と、
コイル状のバネ部材と、
前記ピン部材が挿入される貫通孔を有し、前記バネ部材の一端を支持するバネ受け部材と、を備え、
前記ピン部材は、
外周側にて前記バネ部材が配置された軸部と、
前記軸部の一端に連設され、前記固定体または前記開閉体の接触面に当接可能な頭部と、
前記バネ部材の他端を支持するバネ支持部と、
前記取付部に係止して該付勢装置が前記取付部から外れることを規制するための係止部と、を有し、
前記取付部は、凹み形状に形成され、底部に係止孔を有し、
前記係止部は、前記係止孔の外側の孔縁に係止することを特徴とする付勢装置。
【請求項２】
該付勢装置が前記取付部に取り付けられる前の状態において前記係止部は、前記バネ受け部材が前記バネ部材の付勢によって前記ピン部材から外れることを規制することを特徴とする請求項１に記載の付勢装置。
【請求項３】
固定体の開口を開閉可能な開閉体または前記固定体のいずれか一方に形成される取付部に取り付けられ、前記開閉体が前記固定体の開口を閉じた場合に前記開閉体を開き方向に付勢するための付勢装置であって、
ピン部材と、
コイル状のバネ部材と、
前記ピン部材が挿入される貫通孔を有し、前記バネ部材の一端を支持するバネ受け部材と、を備え、
前記ピン部材は、
外周側にて前記バネ部材が配置された軸部と、
前記軸部の一端に連設され、前記固定体または前記開閉体の接触面に当接可能な頭部と、
前記バネ部材の他端を支持するバネ支持部と、
前記取付部に係止して該付勢装置が前記取付部から外れることを規制するための係止部と、を有し、
該付勢装置が前記取付部に取り付けられる前の状態において前記係止部は、前記バネ受け部材が前記バネ部材の付勢によって前記ピン部材から外れることを規制することを特徴とする付勢装置。
【請求項４】
前記バネ受け部材は、側面に切欠部が形成され、
前記係止部は、前記取付部に取り付ける前の状態において、前記切欠部に係止することを特徴とする請求項２または３に記載の付勢装置。
【請求項５】
固定体の開口を開閉可能な開閉体または前記固定体のいずれか一方に形成される取付部に取り付けられ、前記開閉体が前記固定体の開口を閉じた場合に前記開閉体を開き方向に付勢するための付勢装置であって、
ピン部材と、
コイル状のバネ部材と、
前記ピン部材が挿入される貫通孔を有し、前記バネ部材の一端を支持するバネ受け部材と、を備え、
前記ピン部材は、
外周側にて前記バネ部材が配置された軸部と、
前記軸部の一端に連設され、前記固定体または前記開閉体の接触面に当接可能な頭部と、
前記バネ部材の他端を支持するバネ支持部と、
前記取付部に係止して該付勢装置が前記取付部から外れることを規制するための係止部と、を有し、
前記バネ受け部材は、筒状に形成された外周に径方向外向きに突出する突部を有し、
前記突部は、前記バネ部材の一端を支持することを特徴とする付勢装置。
【請求項６】
固定体の開口を開閉可能な開閉体または前記固定体のいずれか一方に形成される取付部に取り付けられ、前記開閉体が前記固定体の開口を閉じた場合に前記開閉体を開き方向に付勢するための付勢装置であって、
ピン部材と、
コイル状のバネ部材と、
前記ピン部材が挿入される貫通孔を有し、前記バネ部材の一端を支持するバネ受け部材と、を備え、
前記ピン部材は、
外周側にて前記バネ部材が配置された軸部と、
前記軸部の一端に連設され、前記固定体または前記開閉体の接触面に当接可能な頭部と、
前記バネ部材の他端を支持するバネ支持部と、
前記取付部に係止して該付勢装置が前記取付部から外れることを規制するための係止部と、を有し、
前記頭部は、
ゴム材料または軟質樹脂材料で形成され、前記接触面に当接する当接部と、
前記当接部より径方向外向きに張り出す張出部と、を有することを特徴とする付勢装置。
【請求項７】
前記頭部は、前記張出部の径方向内側に空隙部を有し、
前記張出部は、径方向に撓むことを特徴とする請求項６に記載の付勢装置。
【請求項８】
固定体の開口を開閉可能な開閉体または前記固定体のいずれか一方に形成される取付部に取り付けられ、前記開閉体が前記固定体の開口を閉じた場合に前記開閉体を開き方向に付勢するための付勢装置であって、
ピン部材と、
コイル状のバネ部材と、
前記ピン部材が挿入される貫通孔を有し、前記バネ部材の一端を支持するバネ受け部材と、を備え、
前記ピン部材は、
外周側にて前記バネ部材が配置された軸部と、
前記軸部の一端に連設され、前記固定体または前記開閉体の接触面に当接可能な頭部と、
前記バネ部材の他端を支持するバネ支持部と、
前記取付部に係止して該付勢装置が前記取付部から外れることを規制するための係止部と、を有し、
該付勢装置の組み立て前において、前記ピン部材および前記バネ受け部材は一体に結合された一次成形状態を有することを特徴とする付勢装置。
【請求項９】
前記係止部は、前記ピン部材の前記頭部と逆側の一端に複数の弾性爪体として形成され、
一次成形状態において、前記複数の弾性爪体の変形を規制するように前記バネ受け部材が前記弾性爪体の先端に結合されていることを特徴とする請求項８に記載の付勢装置。
【請求項１０】
前記ピン部材と前記バネ受け部材は、一次成形状態において前記バネ部材が挿入可能となるように同軸に結合されることを特徴とする請求項８または９に記載の付勢装置。
【請求項１１】
前記バネ受け部材の外周に形成された突部は径方向に撓むことを特徴とする請求項１０に記載の付勢装置。
【請求項１２】
固定体の開口を開閉可能な開閉体または前記固定体のいずれか一方に形成される取付部に取り付けられ、前記開閉体が前記固定体の開口を閉じた場合に前記開閉体を開き方向に付勢するための付勢装置であって、
ピン部材と、
コイル状のバネ部材と、
前記ピン部材が挿入される貫通孔を有し、前記バネ部材の一端を支持するバネ受け部材と、を備え、
前記ピン部材は、
外周側にて前記バネ部材が配置された軸部と、
前記軸部の一端に連設され、前記固定体または前記開閉体の接触面に当接可能な頭部と、
前記バネ部材の他端を支持するバネ支持部と、
前記取付部に係止して該付勢装置が前記取付部から外れることを規制するための係止部と、を有し、
前記軸部は、軸方向に延伸する第１柱部と、前記第１柱部と所定の間隔をあけて設けられる第２柱部と、を有し、
前記係止部は、前記第１柱部および前記第２柱部の先端側の外周面のそれぞれに外向きに突出するよう設けられ、内向きに撓み可能であることを特徴とする付勢装置。
【請求項１３】
前記軸部は、前記第１柱部および前記第２柱部の先端を連結する連結部を有することを特徴とする請求項１２に記載の付勢装置。
【請求項１４】
前記軸部は、前記第１柱部および前記第２柱部の間に配置され、一端が前記連結部に結合される第３柱部を有する請求項１３に記載の付勢装置。
【国際調査報告】
2013136390.tif 000011
2013136390.tif 000012
2013136390.tif 000013
2013136390.tif 000014